(57)【要約】【課題】  簡単かつ安価な構成でありながら、ゆっくりとした移動速度に対応でき、接着剤をコンクリート床版などの基層の表面に均等に適用することができる移動式接着剤適用装置を提供することを目的とする。【解決手段】  移動式接着剤適用作業車１０の進行方向下流側には、接着剤適用装置２０が配設されている。接着剤適用装置２０は、飛散保護ネット２３内に配設された接着剤適用ノズル３０を含んで構成される。移動式接着剤適用作業車１０は、例えば１５０ｍ／ｈ〜４．４ｋｍ／ｈの速度を略一定に維持して走行（自走）することができるように構成されていて、例えば、コンクリート床版の防水工事などにおける旧舗装の除去作業の比較的遅い速度（時速２００ｍ程度）に合わせて走行できるように構成される。【選択図】図３
2010024791.tif 000002
【特許請求の範囲】
【請求項１】
駆動源が備えられ、所定速度を略一定に維持して走行可能に構成されると共に、
接着剤を走行表面に適用することができる接着剤適用手段を備えたことを特徴とする移動式接着剤適用装置。
【請求項２】
前記所定速度が、既設のアスファルト舗装を除去して基層を露出させるのに対応した速度であることを特徴とする請求項１に記載の移動式接着剤適用装置。
【請求項３】
前記所定速度が、時速約０．１ｋｍ〜約５ｋｍの何れかの速度に設定されることを特徴とする請求項１又は請求項２に記載の移動式接着剤適用装置。
【請求項４】
前記接着剤が、エポキシ系樹脂接着剤であることを特徴とする請求項１〜請求項３の何れか１つに記載の移動式接着剤適用装置。
【請求項５】
前記接着剤は、当該移動式接着剤適用装置の幅方向に広く散布されることを特徴とする請求項１〜請求項４の何れか１つに記載の移動式接着剤適用装置。
【請求項６】
前記接着剤が所定範囲を超えて飛散するのを防止する飛散防止装置が配設されることを特徴とする請求項１〜請求項５の何れか１つに記載の移動式接着剤適用装置。
【請求項７】
前記基層が、コンクリート床版であることを特徴とする請求項１〜請求項６の何れか１つに記載の移動式接着剤適用装置。
【請求項８】
既設のアスファルト舗装を除去して基層を露出させ、当該基層上に接着剤を適用した後、再びアスファルト舗装を形成するアスファルト舗装工法において、
請求項１〜請求項７の何れか１つに記載の移動式接着剤適用装置を用いて、前記基層上に接着剤を適用することを特徴とするアスファルト舗装工法。
【発明の詳細な説明】
【技術分野】
【０００１】
本発明は、コンクリート床版等の基層の上に、例えば防水層としての接着剤を適用（例えば、滴下、塗布、吹き付け、拡散など）するための移動式接着剤適用装置に関する。また、本発明は、当該装置を利用したアスファルト舗装工法に関する。
【背景技術】
【０００２】
例えば、道路や道路橋などの基層を構成するコンクリート床版には、乾燥による収縮作用や様々な負荷が作用することによりクラックなどが生じるおそれがあるが、該クラック内に雨水などが侵入するとコンクリート床版の劣化が加速されるため、防水層を表層のアスファルト混合物と基層のコンクリート床版の間に設ける防水工法が種々提案されている。
【０００３】
特に、近年では、前記防水層の上に敷設されるアスファルト混合物（アスファルトと骨材を主要な材料とする混合物）として、雨天時の走行安全性などの観点から、透水性（排水性）が高められた開粒度アスファルト混合物（骨材の粒度分布を調整して比較的大きな空隙率を有するアスファルト混合物）が採用される場合が多く、従来に増してコンクリート床版は過酷な環境（水による侵食など）に曝されるおそれが高く、防水層の強化及びコンクリート床版と表層との界面の剥離強度向上などに対する要求がより一層高まってきている。
【０００４】
また、道路や道路橋を新設する場合や補修する場合において、通行規制による交通渋滞などの発生を極力抑制することができるように、工期をできる限り短縮したいという要求もある。
【０００５】
このような観点から、本願出願人等は、特許文献１において、コンクリート床版の表面にエポキシ系樹脂接着剤を適用し、当該エポキシ系接着剤をコンクリート床版に塗布・含侵させた状態にした後に、その上から加熱されたアスファルト防水材を撒き均すことにより硬化させ、コンクリート床版を効果的に補強しつつ防水性及び表層と基層との間の付着強度等を高められるようにした防水工法を提案している。
【０００６】
【特許文献１】特願２００６−２３２１５４号
【発明の開示】
【発明が解決しようとする課題】
【０００７】
ところで、コンクリート床版の防水工事は、既設の道路においてコンクリート床版上に既に敷設されているアスファルト混合物、硅砂、加熱型アスファルト系塗膜防水材などの旧舗装を切削等により除去してコンクリート床版を露出させ、かかる状態で、清掃後、エポキシ系接着剤をコンクリート床版に塗布し、その後、加熱型アスファルト系塗膜防水材、硅砂、アスファルト混合物をこの順番で敷設することにより行う。なお、硅砂は、加熱型アスファルト系塗膜防水材層とアスファルト混合物層との間で発生する滑りなどを防止するために用いられる。
【０００８】
このような作業は、首都高速などの交通量の多い道路を工事の対象とする場合、工期をできるだけ短く、かつ片側の通行を残して作業する必要性等から作業スペースを節約することなどが求められるため、一連の流れ作業で（或いは隊列を組んで）行われることが多く、例えば先頭の車両が移動しながら旧舗装の除去作業を行ない、その後方で、清掃車や作業員が移動しながら清掃し、当該清掃作業の後方で移動しながらエポキシ系接着剤をコンクリート床版に塗布し、更にその後方で加熱型アスファルト系塗膜防水材、硅砂、アスファルト混合物を順に移動しながら敷設するような工法が採られる場合が多い。
【０００９】
ここで、一連の流れ作業での旧舗装の除去作業は時速２００ｍ程度の比較的遅い速度で行なわれるため、これに合わせて、清掃作業、エポキシ系接着剤の塗布作業などの作業も行なう必要がある。
【００１０】
なお、このような作業速度（例えば２００ｍ／ｈｏｕｒ）は極めて低速であり、一般的な走行車両にとっては一定速度を維持して走行することは困難である。
【００１１】
このため、例えば、清掃作業などは、旧舗装の除去作業がある程度進行してから（除去作業があるまとまった面積分終了したら）、その除去作業が完了した領域に対して清掃作業を行うなど、間欠的に作業することが行われている。
【００１２】
しかし、エポキシ系接着剤の塗布作業は硬化により防水層を形成するものであるため、このように間欠的に作業を行うと、先に塗布した部分と後に塗布した部分との間に隙間ができたり、先に塗布した部分と後に塗布した部分とを重畳させた場合には重畳部分が層状に形成されるなどして防水性能等への悪影響が生じる惧れなどが想定される。
【００１３】
このため、従来は、図５、図６に示すように、作業者が上記作業速度（例えば２００ｍ／ｈｏｕｒ）に合わせて歩行しながら、ハンドスプレー１３０などを用いて、コンクリート床版２００にエポキシ系接着剤を適用（散布、噴霧など）していたのが実情である。
【００１４】
なお、図５、図６に示したように、ハンドスプレー１３０にエポキシ系接着剤を供給するための装置１１０は作業車両１００に搭載され、例えば供給ホース１２０などを介してハンドスプレー１３０にエポキシ系接着剤を供給するようになっている。この作業車両１００は前記作業速度（例えば２００ｍ／ｈｏｕｒ）を一定に維持して走行することは困難であるため、徒歩でエポキシ系接着剤の適用作業を行っている作業者とは別に、所定距離移動して停止し、適用作業がある程度進んだら、また所定距離移動して停止し、適用作業が進行するのを待つ、といった間欠的な運行がなされるのが実情である。
【００１５】
しかし、作業者が徒歩で作業を行ったとしても、かかる非常にゆっくりとした速度で歩行しながらの作業は困難で、作業者には疲労等も伴うため、均等にエポキシ系接着剤をコンクリート床版２００に適用することは難しく、作業者の個人差や疲労度合いなどにより、標準的な適用量（例えば約０．２ｋｇ／ｍ２）にバラツキが生じたり、塗りムラが生じるなど、施工品質を所定に保つことは困難であった。
【００１６】
本発明は、かかる実情に鑑みなされたもので、簡単かつ安価な構成でありながら、ゆっくりとした移動速度に対応でき、接着剤をコンクリート床版などの基層の表面に均等に適用することができる移動式接着剤適用装置を提供することを目的とする。また、本発明は、当該移動式接着剤適用装置を用いることで、施工品質の高いアスファルト舗装工事を提供することを目的とする。
【課題を解決するための手段】
【００１７】
上記の目的を達成するために、本発明に係る移動式接着剤適用装置は、
駆動源が備えられ、所定速度を略一定に維持して走行可能に構成されると共に、
接着剤を走行表面に適用することができる接着剤適用手段を備えたことを特徴とする。
【００１８】
本発明において、前記所定速度が、既設のアスファルト舗装を除去して基層を露出させるのに対応した速度であることを特徴とすることができる。
【００１９】
本発明において、前記所定速度が、時速約０．１ｋｍ〜約５ｋｍの何れかの速度に設定されることを特徴とすることができる。
【００２０】
本発明において、前記接着剤が、エポキシ系樹脂接着剤であることを特徴とすることができる。
【００２１】
本発明において、前記接着剤は、当該移動式接着剤適用装置の幅方向に広く散布されることを特徴とすることができる。
【００２２】
本発明において、前記接着剤が所定範囲を超えて飛散するのを防止する飛散防止装置が配設されることを特徴とすることができる。
【００２３】
本発明において、前記基層が、コンクリート床版であることを特徴とすることができる。
【００２４】
また、本発明に係るアスファルト舗装工法は、
既設のアスファルト舗装を除去して基層を露出させ、当該基層上に接着剤を適用した後、再びアスファルト舗装を形成するアスファルト舗装工法において、
上述した本発明に係る移動式接着剤適用装置を用いて、前記基層上に接着剤を適用することを特徴とする。
【発明の効果】
【００２５】
本発明によれば、簡単かつ安価な構成でありながら、ゆっくりとした移動速度に対応でき、接着剤をコンクリート床版などの基層の表面に均等に適用することができる移動式接着剤適用装置を提供することができる。
また、本発明によれば、当該移動式接着剤適用装置を用いることで、施工品質の高いアスファルト舗装工事を提供することができる。
【発明を実施するための最良の形態】
【００２６】
以下に、本発明に係る一実施の形態を、添付の図面に基づいて詳細に説明する。なお、以下で説明する実施の形態により、本発明が限定されるものではない。
【００２７】
図１〜図４に示すように、本実施の形態に係る移動式接着剤適用作業車（本発明に係る移動式接着剤適用装置に相当する）１０は、図示しない内燃機関が搭載され、当該内燃機関は非常に低速（例えば２００ｍ／ｈ〜４．４ｋｍ／ｈ）な速度で走行可能な減速機構（図示せず）を介してクローラ１１を回転駆動するように構成されている。
なお、かかる移動式接着剤適用作業車１０のベースとなる作業車としては、例えば、株式会社筑水キャニコム社製の歩行型クローラ運搬車「ＢＰ４１９」などを利用することができる。但し、駆動源は内燃機関に限定されるものではなく、電動モータなどを駆動源とすることも可能である。
【００２８】
前記移動式接着剤適用作業車１０は、非常に低速（例えば１５０ｍ／ｈ〜４．４ｋｍ／ｈ）な速度を略一定に維持して走行（自走）することができ、例えば、コンクリート床版の防水工事などにおける旧舗装の除去作業の比較的遅い速度（時速２００ｍ程度）に合わせて連続的に走行することができるため、作業進行方向に対する速度変化を最小に抑制することができ、以って適用作業進行方向に対する塗りムラ等の発生を極力抑制することができる。なお、使用ギヤを変更するなどして変速比を変更することで、前記速度は変更することも可能である。
なお、要求に応じて前記速度は変更されることが望ましく、従って移動式接着剤適用作業車１０の速度としては、時速約０．１ｋｍ〜約５ｋｍの速度に略一定に維持して走行可能であることが望まれる。
【００２９】
ところで、移動式接着剤適用作業車１０の進行方向下流側には、接着剤適用装置２０が配設されている。
この接着剤適用装置２０は、図３に示すように、前記移動式接着剤適用作業車１０の進行方向後端から下流側に伸びるブラケット２１に取り付けられた鎖状要素２２に懸架される飛散保護ネット２３内に配設された接着剤適用ノズル３０を含んで構成される。なお、接着剤適用ノズル３０が、本発明に係る接着剤適用手段に相当する。また、飛散保護ネット２３が、本発明に係る飛散防止装置に相当する。
【００３０】
なお、飛散保護ネット２３はアングル部材等によりフレーム状に枠組みされた直方体形状からなり、下面を除く各面は、前記接着剤適用ノズル３０から散布（噴霧）されるエポキシ系接着剤の外部への飛散を抑制するためのネット状要素或いはメッシュ状要素で覆われている。ネット状要素或いはメッシュ状要素を採用するのは、軽量化を図りながら、所望にエポキシ系接着剤の外部への飛散を防止することができるためである。但し、ネット状要素やメッシュ状要素板の代わりに板状要素などを採用することも可能である。このとき、木製、樹脂製などとすることで、エポキシ系接着剤の外部への飛散を確実に防止しつつ軽量化を図ることができる。
【００３１】
飛散保護ネット２３に取り付けられているアーム状要素２４の先端部は、ブラケット２１の基端部に設けられた収容部２６に挿入されており、これにより鎖錠要素２２により懸架されている飛散保護ネット２３の車両進行前後方向（図２中左右方向）及び図２に略直交する方向（作業幅方向）への移動式接着剤適用作業車１０に対する相対移動（遊動）が抑制されるようになっている。
このような構成とすることで、例えばエポキシ系接着剤がネット状要素（或いはメッシュ状要素）に付着して飛散保護ネット２３を交換する必要などが生じた際に、その交換作業を容易にできると共に、飛散保護ネット２３の遊動防止や位置決めなどを容易なものとすることができる。
【００３２】
なお、飛散保護ネット２３は、移動式接着剤適用作業車１０の車幅方向に約片側車線分の長さ（約３．５ｍ）をもって延在されており、一度で片側車線分の処理を行えるようになっている。
【００３３】
また、飛散保護ネット２３の進行方向後端下部には、飛散保護ネット２３の幅方向に延在され、前記接着剤適用ノズル３０から散布（噴射）されたエポキシ系樹脂接着剤を塗り均すためのブラシ（刷毛）、ゴム製ブレードなどを含んで構成される接着剤塗り均し手段などを配設することも可能である。
【００３４】
ここで、前記接着剤適用ノズル３０は、図４に示すように、所定圧力で圧送供給されるエポキシ系接着剤を複数の憤孔から噴射することにより車幅方向に対して幅広に散布可能に構成されている。なお、接着剤適用ノズル３０は、複数備えることができる。
【００３５】
前記接着剤適用ノズル３０には、図３に示したように、エポキシ系樹脂接着剤を供給するためのゴムホース等からなる供給ホース３１が、例えば脱着容易なクイックチャックなどからなる接続要素を介して接続されている。
【００３６】
そして、前記供給ホース３１は、例えば脱着容易なクイックチャックなどからなる接続要素を介して、接着剤供給装置４０に接続されている。
【００３７】
前記接着剤供給装置４０は、例えば、主剤と硬化剤の二液を混合したエポキシ系樹脂接着剤を吐出供給するためのもので、図１、図２に示すように、作業車両１００に搭載されている発電機５０から電気ケーブル５１を介して電力供給を受けて駆動される３ｗａｙポンプ６０を備えて構成されている。
【００３８】
なお、電気ケーブル５１は、弛むなどして作業の邪魔にならないように、オートリール５２により所定のテンションが付与されるようになっている。
【００３９】
３ｗａｙポンプ６０は、図３に示したように、主剤を収容する主剤用サービスタンク６１Ａと、硬化剤を収容する硬化剤剤用サービスタンク６１Ｂと、を備え、これらを主剤と硬化剤を容積比２：１の割合で吐出するようになっている。具体的には、主剤は２本の主剤吐出ホース６２から吐出され、硬化剤は１本の硬化剤吐出ホース６３から吐出させる構成とすることで、上記割合が達成されるようになっている。
【００４０】
そして、前記３ｗａｙポンプ６０から容積比２：１の割合で別々に吐出された主剤と硬化剤は、主剤吐出ホース６２、硬化剤吐出ホース６３を介してミキシングブロック（所謂スタティックミキサー）７０に給送される。
【００４１】
当該ミキシングブロック７０では、主剤と硬化剤の流体運動を利用してこれらを所定に混合した後、前記供給ホース３１を介して前記接着剤適用ノズル３０へ給送し、当該接着剤適用ノズル３０では、給送されたエポキシ系樹脂接着剤をコンクリート床版２００上に適用（例えば、散布など）される。
【００４２】
なお、主剤と硬化剤とが混合されたエポキシ系樹脂接着剤は硬化するため、これらが流れる接着剤適用ノズル３０や供給ホース３１などは、例えば作業終了後にクイックチャックなどの接続要素により容易に取り外し、洗浄したり使い捨てすることなどが可能である。
【００４３】
ところで、既述したように、エポキシ系接着剤は、例えば、主剤と硬化剤の二液を２：１の割合で混合して使用されるが、図１に示すように、主剤を小分けして収容している複数の容器Ａと、硬化剤を小分けして収容している複数の容器Ｂと、を作業車両１００の荷台に搭載しておき、必要に応じて、作業者（作業車両１００は間欠走行するので停車中に運転者が当該作業者として作業することができる）が、これら容器Ａ、Ｂから主剤用サービスタンク１１１、硬化剤用サービスタンク１１２に注ぎ足すようにしている。主剤用サービスタンク１１１及び硬化剤用サービスタンク１１２には吐出ポンプ１１３が接続されていて、当該吐出ポンプ１１３には、主剤を吐出する主剤用吐出ホース１１４及び主剤用吐出ガン（エポキチャージャ）１１５と、硬化剤を吐出する硬化剤用吐出ホース１１６及び硬化剤用吐出ガン（エポキチャージャ）１１７と、が接続されている。
【００４４】
作業者は、前記移動式接着剤適用作業車１０に搭載されている主剤用サービスタンク６１Ａ、硬化剤用サービスタンク６１Ｂが収容している主剤、硬化剤の残存量を観察して、前記主剤用吐出ガン１１５、硬化剤用吐出ガン１１７を用いて、主剤用サービスタンク６１Ａ、硬化剤用サービスタンク６１Ｂへ主剤、硬化剤を補給してその残量を適当に管理する。
かかる作業者としては、例えば作業車両１００は間欠走行するので停車中に運転者が担当することができる
【００４５】
なお、主剤用サービスタンク１１１及び硬化剤用サービスタンク１１２には、加熱ヒータなどが設けられており、主剤、硬化剤は加熱されて所定粘度に調整されるようになっている。
【００４６】
ところで、本実施の形態では、浸透性のエポキシ系樹脂接着剤を防水材として用いるが、この場合、コンクリート床版２００の表面に形成されるエポキシ系樹脂接着剤層が防水機能を有するのは勿論、エポキシ系樹脂接着剤がコンクリート床版２００の内部に浸透してその床版自体に防水機能を持たせることができるため、優れた防水機能を奏することができる。また、コンクリート床版２００にクラックなどが生じていたとしても、そのクラックにエポキシ系樹脂接着剤が浸透してコンクリート床版２００を補強することができるという利点がある。
【００４７】
更に、コンクリート床版２００の表面に形成されるエポキシ系樹脂接着剤層と、コンクリート床版２００の内部及びクラック内に浸透したエポキシ系樹脂接着剤層と、が一体となって硬化するため、強度の高い防水層を形成することができる。
【００４８】
また、エポキシ系樹脂接着剤層の上に形成されるアスファルト混合物中のアスファルト成分がエポキシ系樹脂接着剤と結合しながら防水層を形成するため、高い防水機能を奏することができると共に、アスファルト混合物層とエポキシ系樹脂接着剤層とは高い強度をもって結合されるため、付着性が高く剥離等のおそれの少ない優れたアスファルト舗装を提供することができることになる。
【００４９】
エポキシ系樹脂接着剤としては、所望の粘度と浸透性を備えるものであれば特に限定されるものではないが、例えば、「ＡＤＯＸ１３８０Ｗ」（日本アドックス株式会社製）などを採用することができる。
【００５０】
以上のような構成を備えた本実施の形態に係る移動式接着剤適用作業車１０は、以下のようにして接着剤の適用作業を行う。
【００５１】
すなわち、旧表層（旧アスファルト混合物）等が時速約２００ｍの速度で切削され清掃されたコンクリート床版２００の上を移動式接着剤適用作業車１０は、図１、図２に示したように、図１、図２に示したように、作業方向（進行方向）に向かって、前記切削作業の速度に合わせて時速約２００ｍ（例えば、時速０．１５ｋｍ〜０．２ｋｍの間の速度に設定される場合が多い）の略一定速度で走行（自走可）する。
【００５２】
このとき、移動式接着剤適用作業車１０に搭載されている前記接着剤供給装置４０から所望にエポキシ系樹脂接着剤が給送され、前記接着剤適用ノズル３０からコンクリート床版２００上に所定の膜厚を達成できるようにエポキシ系樹脂接着剤が所定に適用（例えば、散布など）される。
【００５３】
既述したように、作業車両１００は時速約２００ｍの略一定速度で走行継続することができないため、間欠的に走行して停止するといった運転形態であるため、停車中の運転者は、前記移動式接着剤適用作業車１０に搭載されている主剤用サービスタンク６１Ａ、硬化剤用サービスタンク６１Ｂの残存量を観察し、必要に応じて、前記主剤用吐出ガン１１５、硬化剤用吐出ガン１１７を用いて、主剤用サービスタンク６１Ａ、硬化剤用サービスタンク６１Ｂへ主剤、硬化剤を補給する。
【００５４】
また、当該作業者は、作業車両１００の荷台に搭載されている主剤用サービスタンク１１１、硬化剤用サービスタンク１１２の残量を観察し、必要に応じて（例えば、定期的に）、容器Ａ、Ｂから主剤、硬化剤を主剤用サービスタンク１１１、硬化剤用サービスタンク１１２に注ぎ足して補給する。
なお、それぞれ専任の作業者を配置することも可能である。
【００５５】
ところで、前記移動式接着剤適用作業車１０はクローラ１１による駆動であり直進安定性に優れると共に、自動的に一定速度で走行可能であるため、前記移動式接着剤適用作業車１０は作業開始時と作業終了時以外の操作は不要とすることもできる。但し、例えば作業対象となる道路がカーブしている場合などは、前記作業者（例えば作業車両１００の運転者）が他の作業をしている最中に必要に応じてハンドル１２を操作しに行くだけで、当該カーブに沿って走行することなどが可能である。
【００５６】
そして、図１、図２に示したように、移動式接着剤適用作業車１０の後方では、例えば２名の作業者がコンクリート床版２００上に適用されたエポキシ系樹脂接着剤をローラー等を用いて均一に塗り均す。
【００５７】
更に、その後方では、例えば別の２名の作業者が、エポキシ系樹脂接着剤の上に、加熱型アスファルト系塗膜防水材を散布し塗り均す作業を行う。
なお、加熱型アスファルト系塗膜防水材は、図２に示したように、作業車両１００の進行方向前方位置で、当該作業車両１００の間欠運行に合わせて間欠運行される作業車両１５０の荷台上のタンク等に収容されており、担当の作業者が適時に当該作業車両１５０まで取りに行って散布し塗り均す作業に供する。
【００５８】
更に、図１、図２に示したように、その後方では、例えば別の２名の作業者が、加熱型アスファルト系塗膜防水材の上に、硅砂を散布する作業を行う。
【００５９】
そして、その後方では、図示しないアスファルト敷設作業車が、所定に加熱されているアスファルト混合物を撒き均すと共に、該撒き均されたアスファルト混合物を所定に押し固める。
このような一連の作業を所定区間行うことで、当該区間の防水工事を終了する。
【００６０】
以上説明したように、本実施の形態に係る移動式接着剤適用作業車１０によれば、時速０．１５ｋｍ〜０．２ｋｍという非常にゆっくりとした速度を略一定に維持して自走しながら、エポキシ系樹脂接着剤を均等に散布することができる。
従って、従来のように作業者が徒歩でエポキシ系樹脂接着剤の散布を行っていた場合に比べ、かかる非常にゆっくりとした速度での作業であっても、バラツキなく均等にエポキシ系接着剤を適用することができ、作業者の個人差や疲労度合いなどによって生じる塗りムラなどを抑制でき、以って施工品質を所定に維持することができる。
【００６１】
また、本実施の形態によれば、防水材としてエポキシ系樹脂接着剤をコンクリート床版２００の基層上に適用し、コンクリート床版２００の基層に存するクラック等を効果的に補強しつつ、その上にアスファルト混合物を敷設する構成としたので、簡単かつ安価な構成でありながら、短い工期で信頼性が高く、付着強度が高く耐久性に優れた良好なアスファルト舗装を提供することができる。
【００６２】
更に、本実施の形態に係る移動式接着剤適用作業車１０は比較的小型・軽量で、飛散保護ネット２３などの着脱も容易な構成であるため、作業車両１００の荷台等に搭載することができ、作業場所から他の場所への比較的高速での移動なども容易である。
【００６３】
本実施の形態では、コンクリート床版２００上にエポキシ系樹脂接着剤を適用する場合を一例として説明したが、コンクリート床版２００に限定されるものでなく、他の材質からなる基層に対しても本発明は適用可能である。
【００６４】
上述した実施の形態において示した各部の形状及び構造は、何れも本発明を実施するに際して行う具体化のほんの一例を示したものにすぎず、これらによって本発明の技術的範囲が限定的に解釈されるものでないことは勿論である。
【図面の簡単な説明】
【００６５】
【図１】本発明の一実施の形態に係る防水工事或いは舗装路補修工事の一連の作業の一部（接着剤適用、接着剤均しの２工程）を概略的に示す側面図である。
【図２】同上実施の形態に係る防水工事或いは舗装路補修工事の一連の作業の一部（接着剤適用、接着剤均し、加熱型アスファルト系塗膜防水材適用及び均し、硅砂の散布）を概略的に示す上面図である。
【図３】同上実施の形態に係る移動式接着剤適用作業車の構成を概略的に示す側面図である。
【図４】同上実施の形態に係る移動式接着剤適用作業車に備えられる接着剤適用装置２０、接着剤適用ノズル３０等を拡大して示す拡大図である。
【図５】従来の防水工事或いは舗装路補修工事の一連の作業の一部（接着剤適用、接着剤均しの２工程）を概略的に示す側面図である。
【図６】従来の防水工事或いは舗装路補修工事の一連の作業の一部（接着剤適用、接着剤均し、加熱型アスファルト系塗膜防水材適用及び均し、硅砂の散布）を概略的に示す上面図である。
【符号の説明】
【００６６】
１０    移動式接着剤適用作業車
２０    接着剤適用装置
２３    飛散保護ネット
３０    接着剤適用ノズル
４０    接着剤供給装置
１００  作業車両
１５０  作業車両
２００  コンクリート床版（基層）
【図１】
2010024791.tif 000003
【図２】
2010024791.tif 000004
【図３】
2010024791.tif 000005
【図４】
2010024791.tif 000006
【図５】
2010024791.tif 000007
【図６】
2010024791.tif 000008